(57)【要約】【課題】照射面の色ムラを抑制することができる照明装置を提供する。【解決手段】照明装置１は、色温度の異なる光を出射する複数のＬＥＤ光源５１であって、複数の発光素子５１ｂを１組として１つにパッケージ化された複数のＬＥＤ光源５１と、複数のＬＥＤ光源５１が出射した光が入射する入射面７１ａと、入射面７１ａから入射した光を出射する第１出射面１７１ａ及び第２出射面１７２ｂとを有する導光板７０とを備える。そして、複数のＬＥＤ光源５１及び複数の発光素子５１ｂは、規定方向に沿って並べられる。【選択図】図３
2020194737.tif 000002
【特許請求の範囲】
【請求項１】
色温度の異なる光を出射する複数の光源であって、複数の発光素子を１組として１つにパッケージ化された複数の光源と、
前記複数の光源が出射した光が入射する入射面と、前記入射面から入射した光を出射する出射面とを有する導光板とを備え、
前記複数の光源及び前記複数の発光素子は、規定方向に沿って並べられる
照明装置。
【請求項２】
前記複数の光源のそれぞれは、第１色温度の光を出射する第１発光面と、前記第１色温度と異なる第２色温度の光を出射する第２発光面とを有する
請求項１に記載の照明装置。
【請求項３】
前記複数の光源は、前記規定方向において、１つの前記第１発光面と１つの前記第２発光面とが交互に並べられるように配置される
請求項２に記載の照明装置。
【請求項４】
前記複数の光源は、
前記第１発光面と前記第２発光面との並びが前記規定方向に沿って並べられ、
前記規定方向において、２つの前記第１発光面が隣り合い、かつ２つの前記第２発光面が隣り合うように配置される
請求項２に記載の照明装置。
【請求項５】
前記複数の光源において、前記第１発光面に対応する発光素子の数と前記第２発光面に対応する発光素子の数との比率は、一対一である
請求項２〜４のいずれか１項に記載の照明装置。
【請求項６】
前記複数の光源のそれぞれは、２つの発光素子を有し、
さらに、前記色温度の異なる２つの発光素子を個々に駆動する２つの電源部を備える
請求項１〜５のいずれか１項に記載の照明装置。
【請求項７】
前記導光板において、前記入射面と前記出射面とは、平行であり、かつ、前記入射面及び前記出射面を平面視した場合に重なっていない
請求項１〜６のいずれか１項に記載の照明装置。
【請求項８】
前記導光板は、前記規定方向と直交する平面で切断した場合の断面を断面視したときに、
前記入射面を有し、前記光源から出射される光の方向に向かうに従い、前記入射面から末広がるように二方向に延びる光入射導光部と、
前記光入射導光部が延びる二方向のうちの一方側に接続され、前記光入射導光部を導光した光を出射する前記出射面の一部を構成する第１出射面を有する第１導光部と、
前記光入射導光部が延びる二方向のうちの他方側に接続され、前記光入射導光部を導光した光を出射する前記出射面の一部を構成する第２出射面を有する第２導光部とを有する
請求項１〜７のいずれか１項に記載の照明装置。
【発明の詳細な説明】
【技術分野】
【０００１】
本開示は、導光板を用いた照明装置に関する。
【背景技術】
【０００２】
従来、光入射端面を有する導光板と、基板に実装され、導光板の光入射端面に出射光が入射するように配設された発光色の異なる複数の発光素子とを備える照明器具が開示されている（特許文献１参照）。
【０００３】
各々の発光素子は、１つのＬＥＤ（Ｌｉｇｈｔ  Ｅｍｉｔｔｉｎｇ  Ｄｉｏｄｅ）チップを１つにパッケージ化したＬＥＤパッケージである。
【先行技術文献】
【特許文献】
【０００４】
【特許文献１】特開２０１２−１８６０７０号公報
【発明の概要】
【発明が解決しようとする課題】
【０００５】
特許文献１に開示された照明器具では、複数の発光素子のそれぞれから発せられた発光色の異なる光は、導光板を導光した後に、導光板の出射面から出射される。しかしながら、複数の発光素子から出射された発光色の異なる光は、導光板を導光する際に、例えば、光源に近い側の導光板の出射面では、十分にミキシングされないまま導光板の出射面から出射されることがある。このため、照明器具の発光面の色ムラが発生してしまう。
【０００６】
そこで、本開示は、発光面の色ムラを抑制することができる照明装置を提供することを目的とする。
【課題を解決するための手段】
【０００７】
上記目的を達成するために、本発明に係る照明装置の一態様は、色温度の異なる光を出射する複数の光源であって、複数の発光素子を１組として１つにパッケージ化された複数の光源と、前記複数の光源が出射した光が入射する入射面と、前記入射面から入射した光を出射する出射面とを有する導光板とを備え、前記複数の光源及び前記複数の発光素子は、規定方向に沿って並べられる。
【発明の効果】
【０００８】
本開示によれば、発光面の色ムラを抑制することができる。
【図面の簡単な説明】
【０００９】
【図１】図１は、実施の形態に係る照明装置の外観を示す斜視図である。
【図２】図２は、実施の形態に係る照明装置を分解した分解斜視図である。
【図３】図３は、図１のＩＩＩ−ＩＩＩ線における照明装置の断面を示す断面図、及び、黒い太線で囲む枠の部分を拡大した部分拡大断面図である。
【図４】図４は、実施の形態に係る照明装置の発光モジュールの一部分を拡大した部分拡大平面図である。
【図５】図５は、実施の形態に係る照明装置の発光モジュールの光源を拡大した拡大平面図である。
【図６】図６は、実施の形態に係る照明装置を示すブロック図である。
【図７】図７は、実施の形態の変形例に係る照明装置の発光モジュールの一部分を拡大した部分拡大平面図である。
【発明を実施するための形態】
【００１０】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
また、以下の実施の形態において、略平行等の表現を用いている。例えば、略平行は、平行であることを意味するだけでなく、実質的に平行である、すなわち、例えば数％程度の誤差を含むことも意味する。また、略平行は、本開示による効果を奏し得る範囲において平行という意味である。他の「略」を用いた表現についても同様である。
【００１３】
以下の説明において、照明装置が出射する光の光軸に平行な方向をＺ軸方向とし、Ｚ軸方向と直交する任意の方向をＸ軸方向とし、Ｘ軸方向及びＺ軸方向と直交する方向をＹ軸方向と規定する。
【００１４】
以下、本開示の実施の形態に係る照明装置について説明する。
【００１５】
（実施の形態）
［構成：照明装置１］
図１は、実施の形態に係る照明装置１の外観を示す斜視図である。
【００１６】
図１に示すように、照明装置１は、例えば建物の造営材の取付孔に取り付けられることにより床、壁等を照明するダウンライト、ペンダントライト等の照明器具である。照明装置１の全体形状は、Ｚ軸方向に一定の厚みを有する円盤状であるが、矩形状であってもよく、形状は特に限定されない。また、取付孔には、交流電源を照明装置１に電気的に接続するための図示しない配線が挿通される。
【００１７】
なお、照明装置１の設置状態にもよるが、本実施の形態では、各図において、例えば、Ｘ軸方向及びＹ軸方向は水平方向であり、Ｚ軸方向は鉛直方向である。なお、光軸は照明装置１が出射する光のうち、主たる光が出射される軸であり、図２に示す中心軸Ｏと略平行である。
【００１８】
照明装置１の具体的な構成について、図２及び図３を用いて説明する。図２は、実施の形態に係る照明装置１を分解した分解斜視図である。図３は、図１のＩＩＩ−ＩＩＩ線における照明装置１の断面を示す断面図、及び、黒い太線で囲む枠の部分を拡大した部分拡大断面図である。
【００１９】
図２及び図３に示すように、照明装置１は、取付板２０と、第１筐体３１と、第２筐体３２と、ソケット４１と、照明制御部４２と、電源部４３と、発光モジュール５０と、第１ホルダ６１と、第２ホルダ６２と、導光板７０と、拡散カバー８０とを備える。
【００２０】
＜取付板２０＞
取付板２０は、例えば、アルミニウム並びに鉄等を主成分とした金属板、又は、板状である樹脂製の板材等で構成される。本実施の形態では、取付板２０は、円形状の金属板であり、中央部分に配線が通過する貫通孔２１が形成される。貫通孔２１には、この配線が挿通される。
【００２１】
また、取付板２０は、第１筐体３１及び第２筐体３２を所定の姿勢で固定するための固定板である。取付板２０は、造営材に設けられた取付孔と対向するように、造営材に取り付けられる。例えば、取付板２０は、ネジ穴にネジ等の締結部材２９が差し込まれることによって、造営材に固定される。なお、取付板２０は、パッキン等を介して造営材に固定されてもよい。
【００２２】
また、取付板２０は、円形状の本体部２２と、本体部２２の外周に立設された一対の立設部２３とを有する。
【００２３】
本体部２２には、中央部分に貫通孔２１と、ネジ穴とが形成される。本実施の形態では、２つのネジ穴が貫通孔２１を挟むように径方向に対向して形成される。
【００２４】
立設部２３は、本体部２２の中心を挟んで対向する位置にそれぞれ形成される。また、立設部２３には、ネジ穴が形成される。立設部２３のネジ穴は、取付板２０と第１筐体３１とが組み合わされた場合に、第１筐体３１のネジ穴と重なる位置に形成される。立設部２３のネジ穴にネジ等の締結部材が差し込まれることによって、取付板２０は、第１筐体３１に固定される。
【００２５】
＜第１筐体３１及び第２筐体３２＞
第１筐体３１及び第２筐体３２は、照明制御部４２、及び、電源部４３等を収容する収容体を構成する。第１筐体３１及び第２筐体３２は、例えば、アルミニウム並びに鉄等を主成分とした金属、又は、樹脂等で構成される。
【００２６】
第１筐体３１は、平面視（Ｚ軸マイナス方向に視た場合）で、一部が切り欠かれた略円盤状の容器である。第１筐体３１には、照明制御部４２、及び、電源部４３が収容される。具体的には、第１筐体３１は、第２筐体３２と重なり合うように第２筐体３２内に配置されることで、照明制御部４２、及び、電源部４３を収容する。
【００２７】
第２筐体３２は、平面視（Ｚ軸マイナス方向に視た場合）で、円盤状の容器である。第２筐体３２は、底部３２ｃを有する。第２筐体３２の底部３２ｃには、後述する電源部４３及び照明制御部４２と発光モジュール５０とを電気的に接続するための配線を挿通させる貫通孔３２ｃ１が形成される。この貫通孔３２ｃ１は、第２筐体３２の底部３２ｃの中央部分に形成される。
【００２８】
また、第２筐体３２は、底部３２ｃの他に、さらに、照明制御部４２及び電源部４３を収容した第１筐体３１を収容する第１収容部３２ａと、発光モジュール５０等を収容する第２収容部３２ｂとを有する。第１収容部３２ａは、第２筐体３２の底部３２ｃを境界に第２筐体３２のＺ軸マイナス方向側に設けられ、第２収容部３２ｂは、第２筐体３２の底部３２ｃを境界に第２筐体３２のＺ軸プラス方向側に設けられる。第２筐体３２は、第１収容部３２ａに第１筐体３１等を収容した状態で、ネジ等の固定部材によって第１筐体３１と一体的に固定される。
【００２９】
＜ソケット４１＞
ソケット４１は、第１筐体３１の一部が切り欠かれた部分に配置される。つまり、ソケット４１は、第２筐体３２の第１収容部３２ａ内における、第１筐体３１、第２筐体３２及び取付板２０で形成された空間に配置される。
【００３０】
ソケット４１は、配線から供給される商用電源を照明制御部４２及び電源部４３に供給するための接続端子である。具体的には、ソケット４１には、発光モジュール５０に電力を供給するための、取付板２０の貫通孔２１を挿通した配線が電気的に接続される。また、ソケット４１は、図示しない別の配線を介して、照明制御部４２及び電源部４３に電気的に接続される。
【００３１】
＜照明制御部４２＞
照明制御部４２は、電源部４３が発光モジュール５０に供給する電流を制御することで、発光モジュール５０の点灯及び消灯を制御したり、発光モジュール５０の発する光を調色及び調光制御したりするためのコントローラである。
【００３２】
また、照明制御部４２は、電源部４３が発光モジュール５０に供給する電流を制御することで、後述する、寒色系である昼白色の光と、暖色系である電球色の光とを選択的に発光させることが可能である。照明制御部４２は、昼白色の光と電球色の光とを発光モジュール５０に出射させることで、人が快適であると感じる色温度の範囲を示すクルイトフの効果を発揮することができる。つまり、照明制御部４２は、黒体軌跡に類似するクルイトフのカーブ（クルイトフの快適域）に沿って、発光モジュール５０を発光させることができる。例えば、人は、明るさが明るくかつ暖色系の強い光（色温度が低い光）では、暑苦しい印象を受け、不快に感じる傾向にある。また、明るさが暗く、かつ寒色系の強い光（色温度が高い光）では、薄暗い印象を受け、不快に感じる傾向にある。
【００３３】
照明制御部４２は、発光モジュール５０を制御するための１以上の制御回路部品で構成される。１以上の制御回路部品は、マイコン等で構成され、実装基板に実装される。
【００３４】
なお、照明制御部４２の１以上の制御回路部品は、発光モジュール５０の基板５２に実装されていてもよい。
【００３５】
＜電源部４３＞
電源部４３は、発光モジュール５０を点灯させるための電力を供給する点灯回路を有する電源モジュールである。電源部４３は、ソケット４１等を介して、供給された交流電流を直流電流に変換し、変換した直流電流を発光モジュール５０に供給する。
【００３６】
電源部４３は、１以上のリード付き回路部品で構成される。リード付き回路部品は、例えば、電解コンデンサ、トランス、コイル等で構成され、実装基板に実装される。
【００３７】
なお、照明制御部４２を実装する実装基板と、電源部４３を実装する実装基板とは同一の１枚の基板であってもよく、別々の基板であってもよい。
【００３８】
また、本実施の形態では、色温度の異なる２つの発光素子５１ｂ（後述する）を個々に駆動する２つの電源部４３が用いられる。一方の電源部４３は、後述する第１発光面１５１から光を出射させる各々の発光素子５１ｂに電流を供給し、他方の電源部４３は、後述する第２発光面１５２から光を出射させる各々の発光素子５１ｂに電流を供給する。
【００３９】
＜発光モジュール５０＞
発光モジュール５０は、円盤状であり、第２筐体３２の底部３２ｃに対応した形状（平面視で円形状）である。発光モジュール５０は、第２筐体３２の底部３２ｃに固定される。
【００４０】
発光モジュール５０は、複数のＬＥＤ光源５１と、基板５２とを有する。
【００４１】
複数のＬＥＤ光源５１は、規定方向に沿って並べられた状態で、基板５２のＺ軸プラス方向側の面に実装される。本実施の形態では、複数のＬＥＤ光源５１は、円環状に配列された状態であり、周方向に沿って並べられる。各々のＬＥＤ光源５１は、Ｚ軸プラス方向に光を出射する姿勢で基板５２に実装される。各々のＬＥＤ光源５１からの主たる光の出射方向は、Ｚ軸プラス方向に向いている。各々のＬＥＤ光源５１は、照明装置１の出射光となる光を出射し、導光板７０を介して拡散カバー８０に光を入射させる。ＬＥＤ光源５１は、光源の一例である。
【００４２】
複数のＬＥＤ光源５１の配置について、図４を用いて説明する。図４は、実施の形態に係る照明装置１の発光モジュール５０の一部分を拡大した部分拡大平面図である。
【００４３】
図４に示すように、複数のＬＥＤ光源５１は、基板５２の中央部分に形成された貫通孔５２ａを囲むように、等間隔に基板５２に実装される。複数のＬＥＤ光源５１が形成する円形状の中心軸は、図２の中心軸Ｏと略一致する。本実施の形態では、複数のＬＥＤ光源５１は、規定方向（本実施の形態では周方向）に沿って一列に並べられた円環状を形成しているが、二列以上によって同心状の円環を形成していてもよい。また、矩形の照明装置においては、規定方向が略矩形環に沿う方向であってもよい。
【００４４】
各々のＬＥＤ光源５１は、いわゆるＳＭＤ（Ｓｕｒｆａｃｅ  Ｍｏｕｎｔ  Ｄｅｖｉｃｅ）型のＬＥＤ素子である。ＬＥＤ光源５１は、制御部４２が電源部４３を制御することで点灯及び消灯を行う。また、ＬＥＤ光源５１は、制御部４２により制御されて調光及び調色が行われてもよい。例えば、青色ＬＥＤチップと黄色蛍光体含有樹脂との組み合わせにより白色光を放出する表面実装型ＬＥＤ素子が、ＬＥＤ光源５１として採用される。
【００４５】
なお、各々のＬＥＤ光源５１は、ＣＯＢ（Ｃｈｉｐ  Ｏｎ  Ｂｏａｒｄ）型のＬＥＤ素子であってもよい。
【００４６】
各々のＬＥＤ光源５１の構成について、図５を用いて説明する。図５は、実施の形態に係る照明装置１の発光モジュール５０のＬＥＤ光源５１を拡大した拡大平面図である。
【００４７】
図５に示すように、各々のＬＥＤ光源５１は、色温度の異なる光を出射するための、複数の発光素子５１ｂをそれぞれ有する。つまり、各々のＬＥＤ光源５１は、複数の発光素子５１ｂを１組として１つにパッケージ化されている。本実施の形態において、各々のＬＥＤ光源５１では、２つの発光素子５１ｂが１組として１つにパッケージ化されている。各々のＬＥＤ光源５１は、昼白色の光と電球色の光とを、同時に又は別々に出射する。例えば、各々のＬＥＤ光源５１は、色温度が約２２００Ｋ〜７４００Ｋまでの光を出射する。
【００４８】
複数の発光素子５１ｂにおける隣り合う２つの発光素子５１ｂは、ピッチがＨとなるように配置される。本実施の形態では、ピッチＨは、３ｍｍ以下である。ここで、ピッチＨは、ＬＥＤ光源５１を平面視した場合に、一方の発光素子５１ｂの中心軸（光軸と略同一）と、他方の発光素子５１ｂの中心軸（光軸と略同一）との間の距離である。
【００４９】
また、各々のＬＥＤ光源５１は、第１色温度の光を出射する第１発光面１５１と、第１発光面１５１に隣接する面であり、第１色温度と異なる色温度である第２色温度の光を出射する第２発光面１５２とを有する。例えば、各々のＬＥＤ光源５１が２つの発光素子５１ｂを有する場合、一方の発光素子５１ｂが発する光が第１発光面１５１から出射され、他方の発光素子５１ｂが発する光が第２発光面１５２から出射される。ここで、第１色温度の光は昼白色の光である。また、第２色温度の光は、第１色温度の光よりも色温度が低く、電球色の光である。
【００５０】
また、第１発光面１５１と第２発光面１５２との並びが規定方向、つまり各々のＬＥＤ光源５１の並びである周方向に沿うように、各々のＬＥＤ光源５１が基板５２に実装される。また、本実施の形態では、複数のＬＥＤ光源５１は、周方向において、１つの第１発光面１５１と、１つの第２発光面１５２とが交互に並べられるように配置される。このため、周方向において、第１色温度の光と第２色温度の光とが交互に出射される。本実施の形態では、第１発光面１５１と第２発光面１５２との並び方向がＬＥＤ光源５１の位置によって変わるため、並び方向は周方向であり、規定方向の一例である。
【００５１】
各々のＬＥＤ光源５１の構成について具体的に説明する。
【００５２】
各々のＬＥＤ光源５１は、リフレクタ５１ａと、２つの発光素子５１ｂと、２種類の蛍光体含有樹脂５１ｃ１、５１ｃ２とを有する。
【００５３】
リフレクタ５１ａは、凹部５１ａ１を有する樹脂製又はセラミック製の白色の容器であり、蛍光体含有樹脂５１ｃ１、５１ｃ２を保持する土手である。リフレクタ５１ａには、２つの発光素子５１ｂが発する光を所定方向に反射させることで所定方向に光を配光制御する反射面が内面に形成される。リフレクタ５１ａの凹部５１ａ１には、２つの発光素子５１ｂがそれぞれ異なる色温度を出射させるために、互いに異なる蛍光体含有樹脂５１ｃ１、５１ｃ２が封止される。
【００５４】
２つの発光素子５１ｂのそれぞれは、リフレクタ５１ａの凹部５１ａ１の底部に実装されるＬＥＤチップである。平面視したリフレクタ５１ａの凹部５１ａ１を二分割した場合に、一方の発光素子５１ｂは一方の凹部５１ａ１の領域に実装され（例えばドットのハッチングの細かい方）、他方の発光素子５１ｂは他方の凹部５１ａ１の領域に実装される（例えばドットのハッチングの粗い方）。
【００５５】
一方の発光素子５１ｂは、第１発光面１５１から第１色温度の光を出射させるために適した蛍光体含有樹脂５１ｃ１によって封止され、他方の発光素子５１ｂは、第２発光面１５２から第２色温度の光を出射させるために適した蛍光体含有樹脂５１ｃ２によって封止される。本実施の形態では、第１発光面１５１に対応する発光素子５１ｂの数と、第２発光面１５２に対応する発光素子５１ｂの数との比率は、一対一である。これにより、第１発光面１５１及び第２発光面１５２から同等の光量の光が出射される。
【００５６】
各々のＬＥＤ光源５１の構成について、図６を用いて説明する。図６は、実施の形態に係る照明装置１を示すブロック図である。
【００５７】
また、図５及び図６に示すように、複数のＬＥＤ光源５１において、一方の発光素子５１ｂのそれぞれは基板５２に形成されたパターン配線５５によって直列に接続され、他方の発光素子５１ｂのそれぞれも基板５２に形成されたパターン配線５５によって直列に接続される。
【００５８】
このパターン配線５５は、隣り合う２つのＬＥＤ光源５１のうちの一方のＬＥＤ光源５１の端子（不図示）と他方のＬＥＤ光源５１の端子とを電気的に接続する。例えば、ＬＥＤ光源５１が４つの端子を有する場合、第１プラス端子及び第１マイナス端子は、一方のＬＥＤ光源５１における一方の発光素子５１ｂに電気的に接続され、第２プラス端子及び第２マイナス端子は、他方のＬＥＤ光源５１における他方の発光素子５１ｂに電気的に接続される。パターン配線５５は、一方のＬＥＤ光源５１における第１プラス端子と、他方のＬＥＤ光源５１における第１マイナス端子とを電気的に接続する。別のパターン配線５５は、一方のＬＥＤ光源５１における第２プラス端子と、他方のＬＥＤ光源５１における第２マイナス端子とを電気的に接続する。このとき、一方の発光素子５１ｂに接続されるパターン配線５５と、他方の発光素子５１ｂに接続されるパターン配線５５とは、導通しないように並列となる。
【００５９】
照明装置１が２つの電源部４３を有する場合、直列に接続された複数の一方の発光素子５１ｂは、一方の電源部４３から電力が供給され、直列に接続された複数の他方の発光素子５１ｂは、他方の電源部４３から電力が供給される。本実施の形態では、各々のＬＥＤ光源５１は、２つの発光素子５１ｂに電力を供給するために、４つの端子を有する。なお、各々のＬＥＤ光源５１は、３つの端子を有していてもよく、端子の数は限定されない。
【００６０】
図５に示すように、２種類の蛍光体含有樹脂５１ｃ１、５１ｃ２のそれぞれは、リフレクタ５１ａの凹部５１ａ１内に封入された封止部材であり、蛍光体等の波長変換材が含有される。２種類の蛍光体含有樹脂５１ｃ１、５１ｃ２のうち、一方の蛍光体含有樹脂５１ｃ１は第１発光面１５１を形成し、他方の蛍光体含有樹脂５１ｃ２は第２発光面１５２を形成する。
【００６１】
第１発光面１５１は第２発光面１５２と実質的に面一であり、第１発光面１５１及び第２発光面１５２は図４の基板５２の実装面に対して略平行である。
【００６２】
一方の蛍光体含有樹脂５１ｃ１は、第１発光面１５１から第１色温度の光を出射させることが可能であり、一方の発光素子５１ｂを封止する。また、他方の蛍光体含有樹脂５１ｃ２は、第２発光面１５２から第２色温度の光を出射させることが可能であり、他方の発光素子５１ｂを封止する。具体的には、ＬＥＤ光源５１を平面視して、リフレクタ５１ａの凹部５１ａ１を二分割した場合に、一方の蛍光体含有樹脂５１ｃ１は一方の凹部５１ａ１の領域に封止され、他方の蛍光体含有樹脂５１ｃ２は他方の凹部５１ａ１の領域に封止される。
【００６３】
一方の蛍光体含有樹脂５１ｃ１は、昼白色の光を出射する蛍光体を含有することで、第１色温度の光を出射させる。また、他方の蛍光体含有樹脂５１ｃ２は、昼白色の光を出射する蛍光体と、暖色の光を出射する蛍光体とを含有することで、第２色温度の光を出射させる。具体的な蛍光体については、公知の蛍光体を用いることで実現する。
【００６４】
なお、本実施の形態のＬＥＤ光源５１では実質的に同一の発光素子５１ｂをそれぞれ用い、２種類の蛍光体含有樹脂５１ｃ１、５１ｃ２によって、ＬＥＤ光源５１は、第１色温度の光と第２色温度の光とを発するが、それぞれ異なる発光素子５１ｂを用いてもよい。例えば、ＬＥＤ光源５１は、第１色温度の光を発する一方の発光素子５１ｂと、第２色温度の光を発する他方の発光素子５１ｂとを用いてもよい。この場合、ＬＥＤ光源５１には、１種類の蛍光体含有樹脂が用いられていてもよい。
【００６５】
図２及び図３に示すように、基板５２は、複数のＬＥＤ光源５１を実装するための実装基板であって、例えばセラミックス基板、樹脂基板又は絶縁被覆されたメタルベース基板などである。基板５２には、ＬＥＤ光源５１を発光させるための直流電力を外部から受電するための一対の電極端子（正電極端子及び負電極端子）が形成されている。
【００６６】
基板５２は、円板状であり、第２筐体３２の底部３２ｃに相当する部分であり、第２筐体３２の底部３２ｃにおけるＺ軸プラス方向側の面に固定される。基板５２は、第２筐体３２の底部３２ｃに相当する部分と同様の形状である。
【００６７】
また、基板５２には、制御部及び電源部４３から発光モジュール５０に電力を供給するための配線が挿通するための貫通孔５２ａが形成される。この貫通孔５２ａの開口は、中心軸Ｏと略直交するように、基板５２の中央部分に形成される。この貫通孔５２ａは、第２筐体３２に形成される貫通孔３２ｃ１と対向する位置に形成される。
【００６８】
＜第１ホルダ６１及び第２ホルダ６２＞
第１ホルダ６１及び第２ホルダ６２は、基板５２に実装された複数のＬＥＤ光源５１を避けて、複数のＬＥＤ光源５１と物理的に干渉しないように、基板５２に固定される。第１ホルダ６１及び第２ホルダ６２が基板５２に固定された状態の発光モジュール５０を平面視した場合、第１ホルダ６１と第２ホルダ６２とでＬＥＤ光源５１の円環状の並びを内側と外側とで挟むように、第１ホルダ６１及び第２ホルダ６２が基板５２に固定される。ＬＥＤ光源５１の円環状の並び方向は、周方向であり、図４に示す規定方向の一例である。
【００６９】
また、第１ホルダ６１及び第２ホルダ６２は、樹脂等によって形成される光学部材であり、光を反射する機能を有する。第１ホルダ６１及び第２ホルダ６２は、導光板７０から出射された光を導光板７０に戻したり、複数のＬＥＤ光源５１が出射した光を導光板７０に入射させたりする。
【００７０】
なお、第１ホルダ６１及び第２ホルダ６２は、入射する光を拡散する光拡散機能を有していてもよい。この場合、拡散した光を導光板７０に入射させることで、導光板７０を導光する光をよりミキシングさせることができる。
【００７１】
第１ホルダ６１は、平面視で円盤状をなしている。また、第１ホルダ６１は、外周端縁が、導光板７０のＺ軸マイナス方向側の面の形状に沿って、Ｚ軸マイナス方向に立ち上がる（反りあがる）器状をなしている。
【００７２】
また、第１ホルダ６１は、発光モジュール５０を平面視した場合に、複数のＬＥＤ光源５１の並びによって形成した円環状の内側に配置される。また、第１ホルダ６１は、基板５２と導光板７０（後述する第１導光部１７１）との間に配置される。
【００７３】
第２ホルダ６２は、平面視で円環状をなしている。また、第２ホルダ６２は、内周端縁が、導光板７０のＺ軸マイナス方向側の面の形状に沿って、Ｚ軸マイナス方向に立ち上がる（反りあがる）。
【００７４】
また、第２ホルダ６２は、発光モジュール５０を平面視した場合に、複数のＬＥＤ光源５１の並びによって形成した円環状の外側に配置される。また、第２ホルダ６２は、基板５２と導光板７０（後述する第２導光部１７２）との間に配置される。
【００７５】
＜導光板７０＞
導光板７０は、複数のＬＥＤ光源５１が発する光を導光させた後に、拡散カバー８０に出射するライトガイドである。導光板７０は、アクリル及びポリカーボネート等の樹脂部材又はガラス等の透光性の部材で構成されるが、透光性があればその他どのような材料で構成されてもよい。
【００７６】
導光板７０は、導光板７０の厚み方向（Ｚ軸方向）と、各々のＬＥＤ光源５１から出射される光の発光面（第１発光面１５１及び第２発光面１５２）の法線方向（Ｚ軸方向）とが略平行となるように、各々のＬＥＤ光源５１から出射される光の方向側（Ｚ軸プラス方向側であり、各々のＬＥＤ光源５１の前方）に配置される。導光板７０は、複数のＬＥＤ光源５１が発する光が入射するように、第２筐体３２の第２収容部３２ｂに固定される。導光板７０は、第１ホルダ６１及び第２ホルダ６２と、複数のＬＥＤ光源５１との全てを覆う姿勢で、第２収容部３２ｂに固定される。導光板７０は、第１ホルダ６１及び第２ホルダ６２、並びに複数のＬＥＤ光源５１よりも、Ｚ軸プラス方向側に配置される。導光板７０は、第１ホルダ６１及び第２ホルダ６２と拡散カバー８０との間に配置される。
【００７７】
導光板７０は、円盤状をなしている。導光板７０の形状は、発光モジュール５０に固定された第１ホルダ６１及び第２ホルダ６２と、複数のＬＥＤ光源５１とで構成された表面（Ｚ軸プラス方向側の面）に沿った形状が形成される。なお、導光板７０の形状は、円盤状に限らず、多角形の板状等、他の形状でもよい。
【００７８】
導光板７０は、環状導光部７１と、第１導光部１７１と、第２導光部１７２とを有する。
【００７９】
環状導光部７１は、導光板７０において、一部がＺ軸マイナス方向に立ち上がるように変形した、円環状の部分である。環状導光部７１は、Ｚ軸マイナス方向側の面ではＺ軸マイナス方向に突出し、Ｚ軸プラス方向側の面ではＺ軸マイナス方向に凹む。環状導光部７１は、光入射導光部の一例である。
【００８０】
また、環状導光部７１の中心を通過する中心軸は、中心軸Ｏと略一致する。
【００８１】
また、環状導光部７１は、断面視で、複数のＬＥＤ光源５１からＺ軸プラス方向に向かって末広がる、略逆Ｖ字状の湾曲する部分である。環状導光部７１のＺ軸マイナス方向側の面である先端面は、複数のＬＥＤ光源５１が発した光が入射する入射面７１ａである。入射面７１ａは、Ｘ−Ｙ平面に対して略平行であり、複数のＬＥＤ光源５１が発した光の光軸と略直交する。
【００８２】
また、環状導光部７１は、複数のＬＥＤ光源５１が発した光を、第１導光部１７１及び第２導光部１７２に導光させる、導光板７０の一部分である。導光板７０、第１ホルダ６１及び第２ホルダ６２を平面視した場合に、環状導光部７１は、第１ホルダ６１と第２ホルダ６２とに挟まれるように配置される。環状導光部７１は、第１導光部１７１と第２導光部１７２との間に設けられ、第１導光部１７１及び第２導光部１７２に接続される。これにより、環状導光部７１は、導光した光を第１導光部１７１及び第２導光部１７２に導光させる。
【００８３】
なお、環状導光部７１と第１導光部１７１との境界は、平面の第１出射面１７１ａと、平面でない湾曲した環状導光部７１との接続部分が境界となる。環状導光部７１と第２導光部１７２との境界についても同様である。
【００８４】
第１導光部１７１は、円盤状をなし、第１ホルダ６１のＺ軸プラス方向側の面に配置された、導光板７０の一部分（環状導光部７１と異なる部分）である。第１導光部１７１は、導光板７０、第１ホルダ６１及び第２ホルダ６２等を平面視した場合に、第１ホルダ６１と重なるよう配置される、つまり、複数のＬＥＤ光源５１の並びで形成された円環状の内側に配置される。また、第１導光部１７１は、第１ホルダ６１と拡散カバー８０との間に配置される。
【００８５】
第１導光部１７１は、導光板７０の平板状の部分であり、環状導光部７１を導光した光を出射する第１出射面１７１ａを有する。第１出射面１７１ａは、導光板７０におけるＺ軸プラス方向側の平面であり、Ｘ−Ｙ平面に対して略平行であり、入射面７１ａと略平行である。また、平面視した場合に、第１出射面１７１ａは、入射面７１ａと重なっていない。第１出射面１７１ａは、入射面７１ａから入射した光を出射する出射面の一部を構成する。第１出射面１７１ａから出射する光は、主にＺ軸方向と略平行である。
【００８６】
第２導光部１７２は、円環状をなし、第２ホルダ６２のＺ軸プラス方向側の面に配置された、導光板７０の一部分（第１導光部１７１及び環状導光部７１と異なる部分）である。第２導光部１７２は、導光板７０、第１ホルダ６１及び第２ホルダ６２等を平面視した場合に、第２ホルダ６２と重なるよう配置される、つまり、複数のＬＥＤ光源５１の並びで形成された円環状の外側に配置される。また、第２導光部１７２は、第２ホルダ６２と拡散カバー８０との間に配置される。
【００８７】
第２導光部１７２は、導光板７０の平板状の部分であり、環状導光部７１を導光した光を出射する第２出射面１７２ｂを有する。第２出射面１７２ｂは、導光板７０におけるＺ軸プラス方向側の平面であり、Ｘ−Ｙ平面に対して略平行であり、入射面７１ａと略平行である。また、平面視した場合に、第２出射面１７２ｂは、入射面７１ａと重なっていない。第２出射面１７２ｂは、入射面７１ａから入射した光を出射する出射面の一部を構成する。第２出射面１７２ｂから出射する光は、主にＺ軸方向と略平行である。
【００８８】
また、第２出射面１７２ｂの表面積は、第１出射面１７１ａの表面積と同等であることが好ましい。
【００８９】
ここで、導光板７０と各々のＬＥＤ光源５１との関係について説明する。
【００９０】
本実施の形態において、各々のＬＥＤ光源５１から第１出射面１７１ａ及び第２出射面１７２ｂまでの距離は、各々の発光素子５１ｂのうちの隣り合う２つの発光素子５１ｂのピッチの２倍以上である。具体的には、各々のＬＥＤ光源５１の発光面である第１発光面１５１及び第２発光面１５２から導光板７０の第１出射面１７１ａ及び第２出射面１７２ｂまでの距離Ｄは、隣り合う２つの発光素子５１ｂのピッチＨの２倍以上である。
【００９１】
ここで、距離ＤがピッチＨの２倍未満であれば、ＬＥＤ光源から第１出射面及び第２出射面までの距離が十分でないため、互いに色温度の異なる光が十分にミキシングされないまま導光板の第１発光面及び第２発光面から出射されてしまう。このため、本実施の形態では、距離ＤがピッチＨの２倍以上であり、かつ、ピッチＨを３ｍｍ以下としている。例えば、ピッチＨが３ｍｍであれば、距離Ｄは、６ｍｍ以上必要である。
【００９２】
距離Ｄは、第１発光面１５１及び第２発光面１５２から、第１出射面１７１ａ及び第２出射面１７２ｂと一致する延長線までの高さであってもよい。また、距離Ｄは、第１発光面１５１及び第２発光面１５２から、第１出射面１７１ａ及び第２出射面１７２ｂまでの単純な距離であってもよい。
【００９３】
＜拡散カバー８０＞
拡散カバー８０は、照明装置１２の最も外側に位置する外郭筐体である。拡散カバー８０は、発光モジュール５０、第１ホルダ６１、第２ホルダ６２、及び、導光板７０の全体を覆うように、ドーム状に構成される。カバー部９０は、第２筐体３２の第２収容部３２ｂに固定される。
【００９４】
拡散カバー８０は、透明樹脂等の透光性を有する樹脂材料又は透明なガラス材料等の透光部材によって構成される。拡散カバー８０は、透過性かつ散乱性を有し、導光板７０を介して、発光モジュール５０から出射した光を透過及び散乱させる。
【００９５】
［動作］
このような、照明装置１において、各々のＬＥＤ光源５１は、第１色温度の光と、第２色温度の光とを発する。第１色温度の光と第２色温度の光とは、導光板７０の入射面７１ａに入射する。入射面７１ａに入射した光は、導光板７０の環状導光部７１を導光した後に、第１導光部１７１又は第２導光部１７２を導光する。第１色温度の光と第２色温度の光とは、環状導光部７１を導光する際に互いに混ざり合い（ミキシングされ）、さらに、第１導光部１７１及び第２導光部１７２を導光する際にもミキシングされる。これにより、第１色温度の光及び第２色温度の光は、互いにミキシングされた状態で、第１導光部１７１の第１出射面１７１ａ及び第２導光部１７２の第２出射面１７２ｂから出射される。そして、導光板７０から出射された光が拡散カバー８０によって拡散透過され、拡散カバー８０は、光を照射する。これにより、拡散カバー８０の発光面の色ムラを抑制することができる。
【００９６】
また、第１ホルダ６１及び第２ホルダ６２は、各々のＬＥＤ光源５１が発した第１色温度の光と第２色温度の光とを反射することで導光板７０に入射させたり、導光板７０から出射された光を反射することで導光板７０に再び入射させたりする。これにより、照明装置１から出射される光量の低下を抑制することができる。
【００９７】
［作用効果］
次に、本実施の形態における照明装置１の作用効果について説明する。
【００９８】
上述したように、本実施の形態に係る照明装置１は、色温度の異なる光を出射する複数のＬＥＤ光源５１であって、複数の発光素子５１ｂを１組として１つにパッケージ化された複数のＬＥＤ光源５１と、複数のＬＥＤ光源５１が出射した光が入射する入射面７１ａと、入射面７１ａから入射した光を出射する第１出射面１７１ａ及び第２出射面１７２ｂとを有する導光板７０とを備える。そして、複数のＬＥＤ光源５１及び複数の発光素子５１ｂは、規定方向に沿って並べられる。
【００９９】
このように、１つのパッケージから互いに異なる色温度の光を出射することができるため、１組の複数の発光素子５１ｂが互いに近い位置に設けられる。このため、互いに異なる色温度の光は、導光板７０に入射した際にミキシングされ易くなる。
【０１００】
また、本実施の形態に係る照明装置１では、複数のＬＥＤ光源５１及び１組の発光素子５１ｂを規定方向に並べることで、複数の発光素子５１ｂの並びを整列させることができる。このため、導光板７０の入射面７１ａに入射する光を確実に入射させることができる。これにより、複数の発光素子が発する光の一部が入射されないこと（入射効率の低下）による、光の調色が変化するといったことが生じ難くなる。
【０１０１】
したがって、照明装置１では、発光面の色ムラを抑制することができる。
【０１０２】
特に、複数のＬＥＤ光源５１を規則的に並べれば、複数のＬＥＤ光源５１における隣り合う２つのＬＥＤ光源５１を電気的に接続するパターン配線５５を配線し易くすることができる。
【０１０３】
また、１つのＬＥＤ光源５１から互いに異なる色温度の光を出射することができるため、例えば互いに異なる色温度の光を出射する別々のＬＥＤ光源をそれぞれ設けた照明装置に比べて、本実施の形態に係る照明装置１では、ＬＥＤ光源５１の実装領域を小さくすることができる。このため、照明装置１を小型化することができる。
【０１０４】
さらに、複数の発光素子と拡散カバーとを大きく離間させれば、複数の発光素子の出射した互いに異なる色温度の光がミキシングされ易くなる。しかし、この場合では、複数の発光素子と拡散カバーとの距離を確保するために、照明装置の厚みが増してしまう。しかし、複数の発光素子５１ｂが出射した互いに異なる色温度の光は、導光板７０によってミキシングされるため、複数の発光素子５１ｂと拡散カバー８０とを近づけることができる。このため、照明装置１の厚みを薄型化することができる。
【０１０５】
さらに、互いに異なる色温度の光を出射する別々のＬＥＤ光源をそれぞれ設ける場合に比べて、本実施の形態に係る照明装置１では、ＬＥＤ光源５１の数を減らすことができるため、照明装置１の製造コストを低廉化することができる。
【０１０６】
また、本実施の形態に係る照明装置１において、複数のＬＥＤ光源５１のそれぞれは、第１色温度の光を出射する第１発光面１５１と、第１色温度と異なる第２色温度の光を出射する第２発光面１５２とを有する。
【０１０７】
これによれば、第１発光面１５１及び第２発光面１５２とは、１つのパッケージに設けられるため、第１発光面１５１と第２発光面１５２とが互いに近い位置に設けられる。このため、第１色温度の光と第２色温度の光とがミキシングされ易くなる。
【０１０８】
また、本実施の形態に係る照明装置１において、複数のＬＥＤ光源５１は、規定方向において、１つの第１発光面１５１と１つの第２発光面１５２とが交互に並べられるように配置される。
【０１０９】
これによれば、複数のＬＥＤ光源５１が第１色温度の光と第２色温度の光とを交互の出射するため、第１色温度の光と第２色温度の光とが導光板７０に入射して導光する際に、第１色温度の光と第２色温度の光とがミキシングされ易くなる。このため、照明装置１では、発光面の色ムラを抑制することができる。
【０１１０】
また、複数のＬＥＤ光源５１における隣り合う２つのＬＥＤ光源５１を電気的に接続するパターン配線５５を確実に配線し易くすることができる。
【０１１１】
さらに、ＬＥＤ光源５１の端子が４つ存在する場合、一方の発光素子５１ｂに接続されるパターン配線５５と、他方の発光素子５１ｂに接続されるパターン配線５５とが導通しないように絶縁距離を取ることができる。
【０１１２】
また、本実施の形態に係る照明装置１における複数のＬＥＤ光源５１において、第１発光面１５１に対応する発光素子５１ｂの数と、第２発光面１５２に対応する発光素子５１ｂの数との比率は、一対一である。
【０１１３】
これによれば、第１発光面１５１から出射する光の光量と第２発光面１５２から出射する光の光量とを同等にすることができる。このため、照明装置１から出射する光の調光及び調色を調節し易くなる。
【０１１４】
また、本実施の形態に係る照明装置１において、複数のＬＥＤ光源５１のそれぞれは、２つの発光素子５１ｂを有する。本実施の形態に係る照明装置１は、さらに、色温度の異なる２つの発光素子５１ｂを個々に駆動する２つの電源部４３を備える。
【０１１５】
これによれば、色温度の異なる２つの発光素子５１ｂを２つの電源部４３で別々又は同時に駆動することができる。このため、照明装置１から出射する光の色温度を変えることができる、つまり調色制御し易くなる。
【０１１６】
また、本実施の形態に係る照明装置１の導光板７０において、入射面７１ａと第１出射面１７１ａ及び第２出射面１７２ｂとは、略平行であり、かつ、入射面７１ａと第１出射面１７１ａ及び第２出射面１７２ｂとを平面視した場合に重なっていない。
【０１１７】
これによれば、各々のＬＥＤ光源５１から出射される光の方向に導光板７０が配置されるため、ＬＥＤ光源５１から第１出射面１７１ａ及び第２出射面１７２ｂまでの光路長を確実に確保することができる。このため、導光板７０は、各々のＬＥＤ光源５１から出射された光を導光させる際に、十分にミキシングさせることができる。その結果、照明装置１は、色ムラが抑制された発光面を得ることができる。
【０１１８】
また、導光板の端面側にＬＥＤ光源が配置される場合に比べて、本実施の形態に係る照明装置１では、導光板７０の端面方向、すなわち光出射方向に垂直な方向も照らすことができる。
【０１１９】
また、本実施の形態に係る照明装置１において、導光板７０は、規定方向と略直交する平面で切断した場合の断面を断面視したときに、入射面７１ａを有し、ＬＥＤ光源５１から出射される光の方向に向かうに従い、入射面７１ａから末広がるように二方向に延びる環状導光部７１と、環状導光部７１が延びる二方向のうちの一方側に接続され、環状導光部７１を導光した光を出射する出射面の一部を構成する第１出射面１７１ａを有する第１導光部１７１と、環状導光部７１が延びる二方向のうちの他方側に接続され、環状導光部７１を導光した光を出射する出射面の一部を構成する第２出射面１７２ｂを有する第２導光部１７２とを有する。
【０１２０】
例えば、ＬＥＤ光源が発する光を導光板の入射面に入射させる場合、導光板の厚みは、ＬＥＤ光源の大きさに応じて変化する。このため、ＬＥＤ光源の大きさによっては導光板の厚みが厚くなることがある。しかし、本実施の形態では、環状導光部７１は、第１導光部１７１側に延びる部分と、第２導光部１７２側に延びる部分とが１つに合わさって形成される。このため、入射面７１ａの大きさは、第１導光部１７１の厚み分と、第２導光部１７２の厚み分との和となる。このため、導光板７０の厚みが厚くなり難くなるため、導光板７０の厚みの増大を抑制することができる。その結果、照明装置１の厚みが厚くなり難くなる。
【０１２１】
例えば、導光板の厚みが厚くなれば、その分だけ材料費を要するため照明装置の製造コストが高騰化してしまう。しかし、本実施の形態の照明装置１では、導光板７０の厚みの増大を抑制することができるため、照明装置１の製造コストの高騰化を抑制することができる。
【０１２２】
（実施の形態の変形例）
［構成］
本変形例に係る照明装置について図７を用いて説明する。
【０１２３】
図７は、実施の形態の変形例に係る照明装置の発光モジュール５０ａの一部分を拡大した部分拡大平面図である。
【０１２４】
本変形例の照明装置の構成は、特に明記しない場合、実施の形態と同様であり、同一の構成については同一の符号を付して構成に関する詳細な説明を省略する。
【０１２５】
本変形例では、発光モジュール５０ａの複数のＬＥＤ光源５１の並びの規定方向において、２つの第１発光面１５１が隣り合い、かつ、２つの第２発光面１５２が隣り合うように、複数のＬＥＤ光源５１が配置される。言い換えれば、ＬＥＤ光源５１の並びの周方向において、２つの第１発光面１５１が向かい合い、かつ、２つの第２発光面１５２が向かい合うように、２つの第１発光面１５１を一組とし、２つの第２発光面１５２を一組として、ＬＥＤ光源５１が交互に並べられる。
【０１２６】
本変形例でも、ＬＥＤ光源５１が４つの端子を有する場合、第１プラス端子及び第１マイナス端子は、一方のＬＥＤ光源５１における一方の発光素子５１ｂに電気的に接続され、第２プラス端子及び第２マイナス端子は、他方のＬＥＤ光源５１における他方の発光素子５１ｂに電気的に接続される。パターン配線５５は、一方のＬＥＤ光源５１における第１プラス端子と、他方のＬＥＤ光源５１における第１マイナス端子とを電気的に接続する。別のパターン配線５５は、一方のＬＥＤ光源５１における第２プラス端子と、他方のＬＥＤ光源５１における第２マイナス端子とを電気的に接続する。このとき、一方の発光素子５１ｂに接続されるパターン配線５５と、他方の発光素子５１ｂに接続されるパターン配線５５とは、導通しないように並列となる。
【０１２７】
このような、本変形例に係る照明装置において、複数のＬＥＤ光源５１は、第１発光面１５１と第２発光面１５２との並びが規定方向に沿って並べられる。そして、複数のＬＥＤ光源５１は、規定方向において、２つの第１発光面１５１が隣り合い、かつ、２つの第２発光面１５２が隣り合うように配置される。
【０１２８】
これによれば、複数のＬＥＤ光源５１が第１色温度の光と第２色温度の光とを交互の出射するため、第１色温度の光と第２色温度の光とが導光板７０に入射して導光する際に、第１色温度の光と第２色温度の光とがミキシングされ易くなる。このため、照明装置１では、色ムラが抑制された発光面を得ることができる。
【０１２９】
また、複数のＬＥＤ光源５１における隣り合う２つのＬＥＤ光源５１を電気的に接続するパターン配線５５を確実に配線し易くすることができる。
【０１３０】
さらに、ＬＥＤ光源５１の端子が４つ存在する場合、一方の発光素子５１ｂに接続されるパターン配線５５と、他方の発光素子５１ｂに接続されるパターン配線５５とが導通しないように絶縁距離を取ることができる。
【０１３１】
（その他変形例等）
以上、本開示について、実施の形態及び実施の形態の変形例に基づいて説明したが、本開示は、上記実施の形態及び実施の形態の変形例に限定されるものではない。
【０１３２】
例えば、上記実施の形態及び実施の形態の変形例に係る照明装置において、２つの発光素子が１つの光源にパッケージ化されているが、３つ以上の発光素子が１つの光源にパッケージ化されていてもよい。この場合、各々の発光素子には、異なる色温度を出射するためのそれぞれの蛍光体含有樹脂によって封止されていてもよい。この場合、各々のＬＥＤ光源１３１は、２の倍数個となる端子が設けられてもよい。また、１種類の蛍光体含有樹脂に複数の発光素子が封止されていてもよい。
【０１３３】
また、上記実施の形態及び実施の形態の変形例に係る照明装置は、円形状に限定されず、例えば、平面視で略矩形状であってもよく、形状は特に限定されない。この場合、導光板も平面視で略矩形状となり、第１導光部、第２導光部及び光入射導光部も、それぞれを平面視で矩形状となる。また、ＬＥＤ光源５１の並び方向は、直線状となる。
【０１３４】
また、上記実施の形態及び実施の形態の変形例に係る照明装置には、一枚の導光板に限定されず、第１ガイド部と同等の形状の導光板と、第２ガイド部と同等の形状の導光板との２枚の導光板が設けられていてもよい。
【０１３５】
また、上記実施の形態及び実施の形態の変形例に係る照明装置において、制御部は、各々のＬＥＤ光源の第１発光面及び第２発光面から出射する光の調光レベル及び調色レベルを略同一に制御することができてもよい。
【０１３６】
また、上記実施の形態及び実施の形態の変形例に係る照明装置において、電源部は、２つ用いられているが、１つの電源部であってもよい。この場合、複数のＬＥＤ光源における複数の一方の発光素子と複数の他方の発光素子とが並列接続されていてもよい。
【０１３７】
また、上記実施の形態及び実施の形態の変形例に係る照明装置において、１つの一方の発光素子と、１つの他方の発光素子とが１組となって、並列接続されていてもよい。
【０１３８】
その他、実施の形態及び実施の形態の変形例に対して当業者が思いつく各種変形を施して得られる形態、本発明の趣旨を逸脱しない範囲で実施の形態及び実施の形態の変形例における構成要素及び機能を任意に組み合わせることで実現される形態も本発明に含まれる。
【符号の説明】
【０１３９】
１  照明装置
４３  電源部
５１  ＬＥＤ光源（光源）
５１ｂ  発光素子
７０  導光板
７１  環状導光部（光入射導光部）
７１ａ  入射面
１５１  第１発光面
１５２  第２発光面
１７１  第１導光部
１７１ａ  第１出射面（出射面）
１７２  第２導光部
１７２ｂ  第２出射面（出射面）
【図１】
2020194737.tif 000003
【図２】
2020194737.tif 000004
【図３】
2020194737.tif 000005
【図４】
2020194737.tif 000006
【図５】
2020194737.tif 000007
【図６】
2020194737.tif 000008
【図７】
2020194737.tif 000009